【手続補正書】
【提出日】平成28年12月16日(2016.12.16)
【手続補正１】
【補正対象書類名】明細書
【補正対象項目名】発明の名称
【補正方法】変更
【補正の内容】
【発明の名称】画像処理装置、撮像装置、その制御方法及びプログラム
【手続補正２】
【補正対象書類名】明細書
【補正対象項目名】０００１
【補正方法】変更
【補正の内容】
【０００１】
本発明は、動画記録が可能な例えばデジタルスチルカメラやデジタルビデオカメラ等の画像処理装置、撮像装置、その制御方法及びプログラムに関する。
【手続補正３】
【補正対象書類名】明細書
【補正対象項目名】０００８
【補正方法】変更
【補正の内容】
【０００８】
上記目的を達成するために、本発明は、撮像素子の駆動を制御して動画を記録する画像処理装置であって、前記撮像素子の読み出し行を間引いて当該間引いた読み出し行から動画記録用の画像データを取得して出力する第１の読み出し手段と、前記撮像素子において、前記第１の読み出し手段が読み出した前記読み出し行と重複しない読み出し行から前記第１の読み出し手段よりも高速で画像データを取得して前記第１の読み出し手段と同時に出力する第２の読み出し手段と、前記第１の読み出し手段によって取得した前記画像データ及び前記第２の読み出し手段によって取得した前記画像データのそれぞれにおいて被写体の状態が変化したかを判断する判断手段と、前記判断手段が前記第２の読み出し手段によって取得した前記画像データの前記被写体の状態が変化したと判断した場合に、前記第１の読み出し手段による画像データの取得速度を固定した状態で、前記第２の読み出し手段による画像データの取得速度を前記被写体の状態変化に応じて変更する変更手段と、を備えることを特徴とする。
また、上記目的を達成するために、本発明の撮像装置は、２次元に配列された複数の画素を有する撮像素子と、前記撮像素子の異なる領域ごとに、読み出しレートを独立して制御する制御手段と、を備え、前記制御手段は、動画記録用に前記撮像素子の第１の領域から繰り返し画像信号を読み出している場合、前記第１の領域の読み出しレートは変更させずに前記第１の領域と異なる第２の領域の読み出しレートを被写体輝度に応じて変更することを特徴とする。
【手続補正４】
【補正対象書類名】特許請求の範囲
【補正対象項目名】全文
【補正方法】変更
【補正の内容】
【特許請求の範囲】
【請求項１】
撮像素子の駆動を制御して動画を記録する画像処理装置であって、
前記撮像素子の読み出し行を間引いて当該間引いた読み出し行から動画記録用の画像データを取得して出力する第１の読み出し手段と、
前記撮像素子において、前記第１の読み出し手段が読み出した前記読み出し行と重複しない読み出し行から前記第１の読み出し手段よりも高速で画像データを取得して前記第１の読み出し手段と同時に出力する第２の読み出し手段と、
前記第１の読み出し手段によって取得した前記画像データ及び前記第２の読み出し手段によって取得した前記画像データのそれぞれにおいて被写体の状態が変化したかを判断する判断手段と、
前記判断手段が前記第２の読み出し手段によって取得した前記画像データの前記被写体の状態が変化したと判断した場合に、前記第１の読み出し手段による画像データの取得速度を固定した状態で、前記第２の読み出し手段による画像データの取得速度を前記被写体の状態変化に応じて変更する変更手段と、を備えることを特徴とする画像処理装置。
【請求項２】
前記判断手段が前記第２の読み出し手段によって取得した前記画像データの前記被写体の状態が低輝度に変化したと判断した場合、前記変更手段は、前記撮像素子に対する露光時間を延長するように、前記第２の読み出し手段による画像データの取得速度を変更することを特徴とする請求項１に記載の画像処理装置。
【請求項３】
前記判断手段が前記第１の読み出し手段によって取得した前記画像データの前記被写体の状態が低輝度に変化したと判断した場合、前記変更手段は、前記撮像素子に対する露光時間を延長するように、前記第２の読み出し手段による画像データの取得速度を変更し、  前記露光時間を延長した後、前記第２の読み出し手段によって取得された前記画像データに基づく前記被写体の状態の評価値を前記第１の読み出し手段の出力に反映させることを特徴とする請求項１又は２に記載の画像処理装置。
【請求項４】
前記変更手段は、前記第２の読み出し手段による画像データの取得速度を遅くすることを特徴とする請求項２又は３に記載の画像処理装置。
【請求項５】
２次元に配列された複数の画素を有する撮像素子と、
前記撮像素子の異なる領域ごとに、読み出しレートを独立して制御する制御手段と、を備え、
前記制御手段は、動画記録用に前記撮像素子の第１の領域から繰り返し画像信号を読み出している場合、前記第１の領域の読み出しレートは変更させずに前記第１の領域と異なる第２の領域の読み出しレートを被写体輝度に応じて変更することを特徴とする撮像装置。
【請求項６】
さらに、前記第１の領域から読み出される第１の撮像信号及び前記第２の領域から読み出される第２の撮像信号の少なくとも一方に基づいて、前記被写体輝度を算出する算出手段を備え、
前記制御手段は、前記算出手段により算出された前記被写体輝度に応じて前記第２の領域の読み出しレートを変更することを特徴とする請求項５に記載の撮像装置。
【請求項７】
前記制御手段は、前記被写体輝度が所定値以上のときよりも前記被写体輝度が前記所定値未満のときのほうが前記第２の領域の読み出レートを長くすることを特徴とする請求項５又は６に記載の撮像装置。
【請求項８】
前記制御手段は、前記第１の領域の露光時間を前記被写体輝度に応じて変更することを特徴とする請求項５乃至７のいずれか１項に記載の撮像装置。
【請求項９】
前記制御手段は、前記第２の領域の露光時間を前記被写体輝度に応じて変更することを特徴とする請求項５乃至８のいずれか１項に記載の撮像装置。
【請求項１０】
撮像素子の駆動を制御して動画を記録する画像処理装置の制御方法であって、
前記撮像素子の読み出し行を間引いて当該間引いた読み出し行から動画記録用の画像データを取得して出力する第１の読み出しステップと、
前記撮像素子において、前記第１の読み出しステップにおいて読み出された前記読み出し行と重複しない読み出し行から前記第１の読み出しステップよりも高速で画像データを取得して前記第１の読み出しステップと同時に出力する第２の読み出しステップと、
前記第１の読み出しステップで取得した前記画像データ及び前記第２の読み出しステップで取得した前記画像データのそれぞれにおいて被写体の状態が変化したかを判断する判断ステップと、
前記判断ステップにおいて前記第２の読み出しステップで取得した前記画像データの前記被写体の状態が変化したと判断された場合に、前記第１の読み出しステップにおける画像データの取得速度を固定した状態で、前記第２の読み出しステップにおける画像データの取得速度を前記被写体の状態変化に応じて変更する変更ステップと、を備えることを特徴とする画像処理装置の制御方法。
【請求項１１】
２次元に配列された複数の画素を有する撮像素子を備えた撮像装置の制御方法であって、
前記撮像素子の異なる領域ごとに、読み出しレートを独立して制御する制御ステップを備え、
前記制御ステップは、動画記録用に前記撮像素子の第１の領域から繰り返し画像信号を読み出している場合、前記第１の領域の読み出しレートは変更させずに前記第１の領域と異なる第２の領域の読み出しレートを被写体輝度に応じて変更することを特徴とする撮像装置の制御方法。
【請求項１２】
撮像素子の駆動を制御して動画を記録する画像処理装置を制御するプログラムであって、
前記撮像素子の読み出し行を間引いて当該間引いた読み出し行から動画記録用の画像データを取得して出力する第１の読み出しステップと、
前記撮像素子において、前記第１の読み出しステップにおいて読み出された前記読み出し行と重複しない読み出し行から前記第１の読み出しステップよりも高速で画像データを取得して前記第１の読み出しステップと同時に出力する第２の読み出しステップと、
前記第１の読み出しステップで取得した前記画像データ及び前記第２の読み出しステップで取得した前記画像データのそれぞれにおいて被写体の状態が変化したかを判断する判断ステップと、
前記判断ステップにおいて前記第２の読み出しステップで取得した前記画像データの前記被写体の状態が変化したと判断された場合に、前記第１の読み出しステップにおける画像データの取得速度を固定した状態で、前記第２の読み出しステップにおける画像データの取得速度を前記被写体の状態変化に応じて変更する変更ステップと、をコンピュータに実行させることを特徴とするプログラム。
【請求項１３】
２次元に配列された複数の画素を有する撮像素子を備えた撮像装置を制御するプログラムであって、
前記撮像素子の異なる領域ごとに、読み出しレートを独立して制御する制御ステップをコンピュータに実行させ、
前記制御ステップは、動画記録用に前記撮像素子の第１の領域から繰り返し画像信号を読み出している場合、前記第１の領域の読み出しレートは変更させずに前記第１の領域と異なる第２の領域の読み出しレートを被写体輝度に応じて変更することを特徴とするプログラム。